(57)【要約】【課題】従来のナースコールシステムは、ナースコール子機とナースコール親機との間の通信線は有線であるため、病床数が多い大規模な病院などの施設では、配線の煩雑さや設置工事に費用がかかる。【解決手段】無線ＬＡＮ接続用ＩＰ電話機を無線ＬＡＮに接続し、ナースコール子機を無線ＬＡＮ接続用ＩＰ電話機と接続するために設けられる無線ＬＡＮ接続用ＩＰ電話機制御アダプタは、複数の通話先を記憶する手段を持ち、ナースコール子機からの呼び出しで予め記憶されている複数の通話先の中から優先順位の高い順序に従って無線ＬＡＮ接続用ＩＰ電話機に通話の起動をかける手段を備える。【選択図】図１
2007174451.tif 000002
【特許請求の範囲】
【請求項１】
医療従事者を呼び出すためのナースコール子機と、無線ＬＡＮ（Ｌｏｃａｌ  Ａｒｅａ  Ｎｅｔｗｏｒｋ）接続用ＩＰ（Ｉｎｔｅｒｎｅｔ  Ｐｒｏｔｏｃｏｌ）電話機と、  前記ナースコール子機を前記無線ＬＡＮ接続用ＩＰ電話機と接続するために設けられる無線ＬＡＮ接続用ＩＰ電話機制御アダプタと、  無線ＬＡＮに接続していて医療従事者が所持している無線ＬＡＮ接続用ＩＰ電話機と、      で構成されている無線ＬＡＮによるＩＰ電話システムにおいて、    前記ナースコール子機と医療従事者が所持している前記無線ＬＡＮ接続用ＩＰ電話機との間で相互に通話ができるナースコールシステム。
【請求項２】
前記無線ＬＡＮ接続用ＩＰ電話機制御アダプタは、優先順位をつけた複数の通話先を記憶する手段を持ち、前記ナースコール子機からの呼び出しを検知すると、予め記憶されている複数の通話先の中から優先順位の高い順序に従って電話をかけ、一定時間通話相手が接続されない場合に順次優先順位が低い通話先へ電話をかけることを特徴とする請求項１記載のナースコールシステム。
【請求項３】
前記無線ＬＡＮ接続用ＩＰ電話機制御アダプタは、優先順位をつけた複数の通話先を記憶する手段を持ち、前記ナースコール子機からの呼び出しを検知すると、呼び出しがあった時間帯によって通話先を切り替える手段を持ち、時間帯に合わせた予め記憶されている複数の通話先の中から優先順位の高い順序に従って電話をかけ、一定時間通話相手が接続されない場合に順次優先順位が低い通話先へ電話をかけることを特徴とする請求項１記載のナースコールシステム。
【発明の詳細な説明】
【技術分野】
【０００１】
本発明は、病院や福祉介護施設で使用されるナースコールシステムに関する。
【背景技術】
【０００２】
周知の様に、病院や福祉介護施設では主に看護師（福祉介護施設では介護士など）と患者が通話する
為のナースコールシステムが設置されている。  このナースコールシステムでは、患者が呼び出しに
使用するナースコール子機が各ベッドに備えられ、  ナースステーションにはナースコール親機が設
置されていて、その間で通話できるようになっている。（特許文献１を参照）
【特許文献１】特許第２８８７５５２号公報
【発明の開示】
【発明が解決しようとする課題】
【０００３】
従来のナースコールシステムは、ナースコール子機とナースコール親機との間の通信線は有線であるため、病床数が多い大規模な病院などの施設では、配線の煩雑さや設置工事に費用がかかる。  
また、ナースコール子機を患者が携行できないため、子機が設置されていない場所で看護師を呼び出すことが出来ない難点があった。    一般の携帯電話は、電波の強度が強く医療機器の誤動作や心臓のペースメーカーに悪影響を与えるなどのために病院や介護施設では使用を禁止されている。
【０００４】
本発明は、上述の難点を解消するために成されたものであり、近年病院などの施設内に普及が拡大しつつある無線ＬＡＮの設備を利用して容易に構築できるナースコールシステムを提供することを目的としている。
【課題を解決するための手段】
【０００５】
患者が携行し医療従事者を呼び出すためのナースコール子機と、無線ＬＡＮ接続用ＩＰ電話機と、ナースコール子機を無線ＬＡＮ接続用ＩＰ電話機と接続するために設けられる無線ＬＡＮ接続用ＩＰ電話機制御アダプタと、  無線ＬＡＮ接続用ＩＰ電話機を無線ＬＡＮに接続する無線固定局と、無線ＬＡＮの通話交換機能を持つゲートキーパーと、患者情報などのデータベースを保持するナースコールサーバとで構成して上記の各機器は無線ＬＡＮで相互に接続され、
無線ＬＡＮ接続用ＩＰ電話機制御アダプタは、ナースコール子機からの呼び出しを検知すると、無線ＬＡＮ接続用ＩＰ電話機に通話呼び出しの起動を行う手段を備える。
【０００６】
無線ＬＡＮ接続用ＩＰ電話機制御アダプタは、優先順位をつけた複数の通話先を記憶する手段を持ち、ナースコール子機からの呼び出しを検知すると、予め記憶されている複数の通話先の中から優先順位の高い順序に従って無線ＬＡＮ接続用ＩＰ電話機に通話の起動をかける手段を備える。
【０００７】
無線ＬＡＮ接続用ＩＰ電話機制御アダプタは、一定時間経過して通話相手が接続されない場合に順次優先順位が低い通話先へ電話をかける起動を無線ＬＡＮ接続用ＩＰ電話機に行う手段を備える。
【０００８】
ゲートキーパーは、無線ＬＡＮ接続用ＩＰ電話機からの通話呼び出しを受け取ると、通話先の無線ＬＡＮ接続用ＩＰ電話機を呼び出し、呼び出された無線ＬＡＮ接続用ＩＰ電話機が応答することで通話路を形成し、相互の無線ＬＡＮ接続用ＩＰ電話機の通話終了操作で通話路を閉鎖する呼の制御手段を備える。
【発明の効果】
【０００９】
本発明は、無線ＬＡＮを利用することで容易にナースコールシステムを構築できる。  そのため煩雑な配線工事を必要とせず、無線ＬＡＮを布設することでシステムを実現できる。  また、携帯電話機を使いこなせない患者でも、ナースコール子機と無線ＬＡＮ接続用ＩＰ電話機制御アダプタを無線ＬＡＮ接続用ＩＰ電話機に付加することで、操作が簡単になる、通話先を選択しなくて良い、ナースコール子機のスピーカとマイクロフォンの働きで耳や口を近接しないで通話が可能であるなどの便利さを実現できる。
【発明を実施するための最良の形態】
【００１０】
本発明の一実施形態を図面に基づいて説明する。
図１は、無線ＬＡＮを利用したナースコールシステムの全体構成を示す。  患者は、ナースコール子機（７）の呼び出しボタンを押下して看護師を呼び出す。  無線ＬＡＮ接続用ＩＰ電話機制御アダプタ（６）は、ナースコール子機（７）からの呼び出しを検知すると、予め記憶している呼び出し先のアドレス（電話番号に相当）を無線ＬＡＮ接続用ＩＰ電話機（５）へ送出して呼び出しの起動をかける。
【００１１】
呼び出しの起動を受けた無線ＬＡＮ接続用ＩＰ電話機（５）は、無線固定局（４）へ電波を発信して呼び出し情報を無線ＬＡＮへ送信する。
【００１２】
ゲートキーパー（２）は、電話交換機の役割を持ち、呼の制御、電話番号の登録、アドレス変換、
帯域制御などの機能を備える。  ゲートキーパー（２）は、無線ＬＡＮ接続用ＩＰ電話機（５）からの呼び出し情報を受け取ると、指定された看護師が携帯する無線ＬＡＮ接続用ＩＰ電話機（５）へ呼び出しを通知する。
【００１３】
ゲートキーパー（２）は、看護師が応答した無線ＬＡＮ接続用ＩＰ電話機（５）からの応答情報を受け取ると、呼び出したＩＰ電話機と応答したＩＰ電話機の間で通話路を形成する。
通話路が形成されると、音声パケットが遅れて音声歪みを生じないように優先制御が行われる。
【００１４】
無線ＬＡＮ接続用ＩＰ電話機（５）のどちらか一方または双方が通話を打ち切ると、その情報をゲートキーパー（２）が受けて、通話路を閉鎖する。
【００１５】
ナースコールサーバ（１）は、ナースコール子機（７）の状態（呼び出し中、通話中など）を監視する機能と、患者情報や看護の予定情報などのデータベースを保持し、必要に応じて看護師が携帯する情報端末や無線ＬＡＮ接続用ＩＰ電話機（５）との間で情報の送受信を行う機能などを備える。
【００１６】
ナースコールサーバ（１）は、ゲートウェイ（３）を経由して院内ＬＡＮ（１６）に接続されている電子カルテサーバ（１７）から主に患者情報を、オーダーエントリサーバ（１８）からは主に治療や看護の予定情報を受け取る。
【００１７】
無線ＬＡＮ接続用ＩＰ電話機（５）は、ＬＡＮ用ＩＰ電話機（８）と内線電話の形態で通話することが出来るほか、インターネット網（１１）または公衆回線網（１２）を経由した病院外の電話機（１３、１４）と通話することも出来る。  
【００１８】
図２は、無線ＬＡＮ接続用ＩＰ電話機制御アダプタ（６）の構成を示す。
無線ＬＡＮ接続用ＩＰ電話機制御アダプタ（６）は、無線ＬＡＮ接続用ＩＰ電話機（５）とＩＰ電話機接続部（１９）で接続され通話先の指示など制御信号を送受する。  音声信号は、イヤホンジャック（２５）で受けて、音声増幅器（２６）で増幅されナースコール子機（７）のスピーカから音が出される。    
【００１９】
ナースコール子機（７）の呼び出しボタンが押されると、呼び出し検出部（２４）で呼び出しがあったことを検出し、制御処理部（２０）へ伝えられる。    制御処理部（２０）は、マイクロコンピュータ等で構成され、無線ＬＡＮ接続用ＩＰ電話機制御アダプタ（６）の全体を制御する。
【００２０】
ナースコール子機（７）から呼び出しを受けた制御処理部（２０）は、メモリ部（２１）の呼出先優先順位管理テーブル（２３）を読み出し、優先度が一番高い通話先アドレスをＩＰ電話機接続部（１９）を経由して無線ＬＡＮ接続用ＩＰ電話機（５）へ送り、電話をかける起動を行う。
【００２１】
無線ＬＡＮ接続用ＩＰ電話機（５）から電話の呼び出しが行われてから、予め設定された時間以内に看護師が呼び出しに応答した場合は、通話路が形成されて二者間で通話が開始されるが、一定時間経過しても第一優先先から応答がない時は、  制御処理部（２０）は呼出先優先順位管理テーブル（２３）に従い、第２優先順位先の呼び出しの起動を無線ＬＡＮ接続用ＩＰ電話機（５）へ送る。  さらに第２優先順位先から一定時間経過しても応答がない場合は、第３優先順位先の呼び出しの起動を行う。      この様に呼出先優先順位管理テーブル（２３）に設定されている優先順位に従って、電話先の相手が応答するまで順次呼び出しが行われる。    ナースコールの場合は、呼び出しがあると確実に誰かが応答する必要がある。
【００２２】
呼出先優先順位は、例えば担当看護師Ａ、担当看護師Ｂ、担当チームＡ、担当チームＢ、担当チームＣ、病棟看護師全員  ・・・などと設定する。
【００２３】
また、時間帯によって呼出先優先順位を変更することも出来る。    制御処理部（２０）は、呼び出しがあった時間帯を制御処理部（２０）の内部または外部のタイマーで判断して、日勤帯、準夜勤帯、夜勤帯に応じて呼出先優先順位管理テーブル（２３）に設定されている呼び出し先を読み出して電話の呼び出しの起動をかける。
【００２４】
呼出先優先順位管理テーブル（２３）は、外部の入力端末（３０）を接続して操作することで変更することが出来る。  入力端末（３０）にはノート型パーソナルコンピュータやＰＤＡ（Ｐｅｒｓｏｎａｌ  Ｄｉｇｉｔａｌ  Ａｓｓｉｓｔａｎｃｅ）等を利用しても良い。
【００２５】
ＡＣアダプタ（３１）は、無線ＬＡＮ接続用ＩＰ電話機制御アダプタ（６）の電源部（２９）を充電する時だけ使用され、通常は無線ＬＡＮ接続用ＩＰ電話機制御アダプタ（６）を携帯型で使用する。
【００２６】
電話先は、看護師が携帯する無線ＬＡＮ接続用ＩＰ電話機（５）に限らなくても良い。    
例えば、内線用のＩＰ電話機（８）やインターネット網を経由してＩＰ電話機（１３）や公衆回線網を経由して一般の電話機（１４）へ電話することも可能である。
【００２７】
患者は、通話先を指定しないでナースコール子機（７）の呼び出しボタンを押すだけで看護師を呼び出すことが出来るので、老人や幼年者でも簡単に操作できる。  また、通話音量を大きくすることが出来るため、ナースコール子機（７）から少し離れて会話することが可能である。
【００２８】
呼び出しボタンを複数備え、押されるボタンに応じて呼び出し先を変えたり、緊急度の異なるボタンに設定して呼び出しの緊急連絡先を変えたり、家族連絡用のボタンを設けたりすることも可能である。
【００２９】
図２では、ナースコール子機（７）と無線ＬＡＮ接続用ＩＰ電話機制御アダプタ（６）を分離した形態を示しているが、一体型にしても本発明の要旨に変わりはない。
【図面の簡単な説明】
【００３０】
【図１】無線ＬＡＮを利用したナースコールシステムの全体構成
【図２】無線ＬＡＮ接続用ＩＰ電話機制御アダプタの構成
【符号の説明】
【００３１】
1.                 
ナースコールサーバ
2.                 
ゲートキーパー
3.                 
ゲートウェイ
4.                 
無線固定局（アクセスポイント）
5.                 
無線ＬＡＮ接続用ＩＰ電話機
（ＬＡＮ：Ｌｏｃａｌ  Ａｒｅａ  Ｎｅｔｗｏｒｋ）
（ＩＰ：  Ｉｎｔｅｒｎｅｔ  Ｐｒｏｔｏｃｏｌ）
6.                 
無線ＬＡＮ接続用ＩＰ電話機制御アダプタ
7.                 
ナースコール子機
8.                 
ＬＡＮ用ＩＰ電話機
9.                 
ＶｏＩＰゲートウェイ      
（ＶｏＩＰ：Ｖｏｉｃｅ  Ｏｖｅｒ  Ｉｎｔｅｒｎｅｔ  Ｐｒｏｔｏｃｏｌ  ）
10.         
ルータ
11.         
インターネット網
12.         
公衆回線網
13.         
ＩＰ電話機
14.         
電話機
15.         
無線ＬＡＮ
16.         
院内ＬＡＮ
17.         
電子カルテサーバ
18.         
オーダーエントリーサーバ
19.         
ＩＰ電話機接続部
20.         
制御処理部
21.         
メモリ部
22.         
プログラム
23.         
呼出先優先順位管理テーブル
24.         
呼出検出部
25.         
イヤホンジャック
26.         
音声増幅器
27.         
子機接続部
28.         
端末接続部
29.         
電源部
30.         
入力端末
31.         
ＡＣアダプタ
【図１】
2007174451.tif 000003
【図２】
2007174451.tif 000004